(57)【要約】【課題】微小なボイスコイルモータの電圧でも、転動体（玉）を滑らかに転動すること。【解決手段】ハードディスクドライブ装置のスイングアーム支持部に使用するピボット軸受装置において、転動体５を等間隔に保持する目的で従来使用されていた保持器が廃止してある。転動体５が転動する際に、その動作の妨げとなる保持器が無い為、転動体５は、微小なボイスコイルモータの電圧でも滑らかに転動する事が可能となる。【選択図】図１
2007177799.tif 000002
【特許請求の範囲】
【請求項１】
ハードディスクドライブ装置のスイングアーム支持部のピボット軸受装置において、
内輪と外輪の間に転動自在に配列された複数の転動体を等間隔に保持する保持器が無いことを特徴とするピボット軸受装置。
【請求項２】
前記ハードディスクドライブ装置は、その厚さが５ｍｍ以下であり、
当該ハードディスクドライブ装置のスイングアーム支持部に使用することを特徴とする請求項１に記載のピボット軸受装置。
【請求項３】
軸受内部に封入される潤滑剤は、オイルであることを特徴とする請求項１又は２に記載のピボット軸受装置。
【発明の詳細な説明】
【技術分野】
【０００１】
本発明は、ハードディスクドライブ装置のスイングアーム支持部に使用するピボット軸受装置に関する。
【背景技術】
【０００２】
ハードディスクドライブ装置のスイングアーム支持部に使用するピボット軸受装置に於いては、内輪と外輪の間に転動自在に配列された複数の転動体を等間隔に保持する保持器が使われている。
【０００３】
図３は、従来例に係るピボット軸受装置の断面図である。ピボット１には、複列の転がり軸受２が装着してある。各転がり軸受２では、外輪３の軌道面３ａと内輪４の軌道面４ａとの間に、複数の転動体５が転動自在に介装してある。転がり軸受２の外方側には、オイル等の潤滑剤を封入するためのシール部材６が装着してある。加えて、従来例では、複数の転動体５を等間隔に保持するための保持器７が介装してある。
【発明の開示】
【発明が解決しようとする課題】
【０００４】
しかしながら、従来例に於いては、転動体を等間隔に保持する保持器と転動体（玉）が転動する際に、転動体との摩擦或いは転動体と保持器の衝突により、転動体が特に微小角度範囲で動作する際の障害となり、転動体が滑らかに転動しないという問題があった。
【０００５】
特に、ハードディスクドライブ装置の記録密度が高くなった事により、スイングアームの制御角度が微小化してきている事、更に、消費電力を抑える為にスイングアームを動作させる為にボイスコイルモータヘ流す電圧の低減化が進んで来ている事により、軸受装置特に転動体の微小角度範囲での滑らかな動作応答がより一層求められている。
【０００６】
本発明は、上述したような事情に鑑みてなされたものであって、微小なボイスコイルモータの電圧でも、転動体（玉）を滑らかに転動することができる、ピボット軸受装置を提供することを目的とする。
【課題を解決するための手段】
【０００７】
上記の目的を達成するため、本発明に係るピボット軸受装置は、ハードディスクドライブ装置のスイングアーム支持部のピボット軸受装置において、
内輪と外輪の間に転動自在に配列された複数の転動体を等間隔に保持する保持器が無いことを特徴とする。
【０００８】
好適には、前記ハードディスクドライブ装置は、その厚さが５ｍｍ以下であり、当該ハードディスクドライブ装置のスイングアーム支持部に使用する。
【０００９】
また、好適には、軸受内部に封入される潤滑剤は、オイルである。
【発明の効果】
【００１０】
本発明によれば、転動体（玉）が転動する際に、その動作の妨げとなる保持器が無い為、転動体（玉）は、微小なボイスコイルモータの電圧でも滑らかに転動する事が可能となる。すなわち、揺動角が小さいときには、転がり軸受は、総玉形式で、かつ、転動体同士の密着がない程度のものが良い。
【発明を実施するための最良の形態】
【００１１】
以下、本発明の実施の形態に係るピボット軸受装置を図面を参照しつつ説明する。
【００１２】
図１は、本発明の実施の形態に係るピボット軸受装置の断面図である。ハードディスクドライブ装置のスイングアーム支持部に使用するピボット軸受装置において、ピボット１には、複列の転がり軸受２が装着してある。各転がり軸受２では、外輪３の軌道面３ａと内輪４の軌道面４ａとの間に、複数の転動体５が転動自在に介装してある。転がり軸受２の外方側には、オイル等の潤滑剤を封入するためのシール部材６が装着してある。なお、転がり軸受２は、セラミックス製であってもよい。
【００１３】
本実施の形態では、転動体５を等間隔に保持する目的で従来使用されていた保持器が廃止してある。転動体５が転動する際に、その動作の妨げとなる保持器が無い為、転動体５は、微小なボイスコイルモータの電圧でも滑らかに転動する事が可能となる。すなわち、揺動角が小さいときには、転がり軸受２は、総玉形式で、かつ、転動体同士の密着がない程度のものが良い。。
【００１４】
但し、ピボット組立装置設備を従来のままにする為、転がり軸受２単品では、従来技術の軸受と同じく保持器が組み込まれている。これにより、転動体５は、外・内輪３，４間に等間隔に配置されるという利点もある。
【００１５】
保持器は、転がり軸受２がピボット１及びハウジングに圧入又は接着によりピボット軸受装置として組み立てられ、予圧負荷された後に、取り外す。
【００１６】
潤滑剤は、軸受組立時に必要な量を封入しておく事が望ましいが、ピボット軸受装置組立後に保持器を取り外した後に封入しても構わない。
【００１７】
なお、本発明は、上述した実施の形態に限定されず、種々変形可能である。
【実施例】
【００１８】
図２は、本発明の実施例と従来の実施例のピボットをスイングアーム及びボイスコイルモータに組み込んで、ＶＣＭに各周波数の電圧を掛けて周波数変位応答を測定した結果を模式化したグラフである。
【００１９】
当該グラフには、従来の実施例として、転動体を等配配置させる保持器を、ナイロンなどからなるプラスチック製と、ステンレス鋼などからなる鉄製との２つの実験結果を挙げた。
【００２０】
従来の実施例のうち、その重量故、最も転動体に掛かる摩擦や力が大きくなる鉄製保持器組み込み品は、早い（高い）周波数からリニアな応答性が失われ、次に、プラスチック製保持器の応答性が無くなる。
【００２１】
本発明の実施例では、より低い周波数領域までリニアな応答性が保持されている事が確認された。
【００２２】
本発明は、スイングアームを特に微細な角度をより低電圧で動作させる、つまり、従来よりも更に低周波領域までスイングアームのリニアな応答性が求められるような薄型のハードディスクドライブ装置（ＨＤＤ）に有効である。特に、５ｍｍハイト以下のハードディスクドライブ装置（ＨＤＤ）に有効である。
【００２３】
こういった微細な応答性を求められるハードディスクドライブ装置（ＨＤＤ）の場合、軸受損失によるスイングアーム動作不具合は、データ入出力速度低下に繋がる。軸受に封入する潤滑剤は、フッ素油や分子量分布を管理したエステルやシクロロペンタン、ＰＡＯ（ポリαオレフィン）といったような合成油が効果的である。オイル封入軸受であれば、グリースを軸受内に封入する際に必要とする保持器が無くとも問題は無い。
【図面の簡単な説明】
【００２４】
【図１】本発明の実施の形態に係るピボット軸受装置の断面図である。
【図２】本発明の実施例と従来の実施例のピボットをスイングアーム及びボイスコイルモータに組み込んで、ＶＣＭに各周波数の電圧を掛けて周波数変位応答を測定した結果を模式化したグラフである。
【図３】従来例に係るピボット軸受装置の断面図である。
【符号の説明】
【００２５】
１  ピボット軸
２  転がり軸受
３  外輪
３ａ  軌道面
４  内輪
４ａ  軌道面
５  転動体
６  シール部材
７  保持器
【図１】
2007177799.tif 000003
【図２】
2007177799.tif 000004
【図３】
2007177799.tif 000005